【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
監視対象の画像フレームをエリア画像センサによって捕捉することを含む方法であって、該方法が、
該画像フレームの一部を画像データ処理装置に送信すること；
受信した該画像フレームの一部を該画像データ処理装置によって分析することをさらに含み；
ここで、該受信した画像フレームの一部に、少なくとも１つの予め定義されたイベントを含むことが検出された場合、該画像データ処理装置は、該エリア画像センサをトリガするためにトリガ信号を送信するよう配置され、その結果、該エリア画像センサが、該少なくとも１つの予め定義されたイベントを含む少なくとも１つのさらなる画像フレームを捕捉し、かつ該少なくとも１つの予め定義されたイベントを含む該少なくとも１つのさらなる画像フレームの一部をさらなる分析のために該画像データ処理装置に送信するよう再構成され、ここで、少なくとも１つの予め定義されたイベントを含むことが検出された受信した画像フレームの一部における条件が、送信する該少なくとも１つの予め定義されたイベントを含む該少なくとも１つのさらなる画像フレームの一部の大きさ及び位置を決定し、かつ
該受信した画像フレームの一部に、予め定義されたイベントを含むことが検出されない場合、該エリア画像センサは、元に戻って、監視対象の画像フレームを捕捉し、かつ該捕捉した画像フレームの一部を該画像データ処理装置に送信し続けることを特徴とする、前記方法。
【請求項２】
前記受信した画像フレームの一部が、前記画像フレームの複数の個別セクションを含むことを特徴とする、請求項１記載の方法。
【請求項３】
前記少なくとも１つのさらなる画像フレームの一部が、前記画像フレームの複数の個別セクションを含むことを特徴とする、請求項１または２記載の方法。
【請求項４】
前記少なくとも１つの予め定義されたイベントを含む前記少なくとも１つのさらなる画像フレームの一部が、画像フレーム全体であることを特徴とする、請求項１または２記載の方法。
【請求項５】
前記方法が、
少なくとも１つの画像フレームを捕捉することと、
前記少なくとも１つの予め定義されたイベントを含む前記少なくとも１つのさらなる画像フレームの一部をさらなる分析のために前記画像データ処理装置に送信した後、該少なくとも１つの画像フレームの一部を該画像データ処理装置に送信することとをさらに含むことを特徴とする、請求項１から４のいずれか一項記載の方法。
【請求項６】
前記エリア画像センサが、画像フレームを捕捉し、外部トリガ信号なしに画像フレームの部分を送信することを特徴とする、請求項１から５のいずれか一項記載の方法。
【請求項７】
前記監視対象が、紙または厚紙ウェブであることを特徴とする、請求項１から６のいずれか一項記載の方法。
【請求項８】
前記監視対象が、印刷機械のロールであることを特徴とする、請求項１から６のいずれか一項記載の方法。
【請求項９】
エリア画像センサと画像データ処理装置とを含む、監視対象用マシンビジョンシステムであって、
該エリア画像センサが、該監視対象の画像フレームを捕捉し、該捕捉された画像フレームの一部を分析のために該画像データ処理装置に送信するように配置され、
該受信された一部に、少なくとも１つの予め定義されたイベントを含むことが検出された場合、該画像データ処理装置は、該エリア画像センサをトリガするためにトリガ信号を送信するよう配置され、その結果、該エリア画像センサが、該少なくとも１つの予め定義されたイベントを含む少なくとも１つのさらなる画像フレームを捕捉し、かつ該少なくとも１つの予め定義されたイベントを含む該少なくとも１つのさらなる画像フレームの一部をさらなる分析のために該画像データ処理装置に送信するように再構成され、ここで、少なくとも１つの予め定義されたイベントを含むことが検出された受信した画像フレームの一部における条件が、送信する該少なくとも１つの予め定義されたイベントを含む該少なくとも１つのさらなる画像フレームの一部の大きさ及び位置を決定し、かつ
該受信した画像フレームの一部に、予め定義されたイベントを含むことが検出されない場合、該エリア画像センサは、元に戻って、監視対象の画像フレームを捕捉し、かつ該捕捉した画像フレームの一部を該画像データ処理装置に送信し続けることを特徴とする、前記監視対象用マシンビジョンシステム。
【請求項１０】
前記エリア画像センサと画像データ処理装置が、スマートカメラの一部であることを特徴とする、請求項９記載のマシンビジョンシステム。
【請求項１１】
前記受信した部分が、前記画像フレームの複数の個別セクションを含むことを特徴とする、請求項９または１０記載のマシンビジョンシステム。
【請求項１２】
前記少なくとも１つの予め定義されたイベントを含む前記画像の一部が、前記画像フレームの複数の個別セクションを含むことを特徴とする、請求項９から１１のいずれか一項記載のマシンビジョンシステム。
【請求項１３】
前記少なくとも１つの予め定義されたイベントを含む前記画像の一部が、画像フレーム全体であることを特徴とする、請求項９から１１のいずれか一項記載のマシンビジョンシステム。
【請求項１４】
前記エリア画像センサが、前記少なくとも１つの予め定義されたイベントを含む少なくとも１つのさらなる画像フレームの部分が、さらなる分析のために前記画像データ処理装置に送信された後、少なくとも１つの画像フレームを捕捉し、該少なくとも１つの画像フレームの一部を該画像データ処理装置に送信し続けるよう配置されることを特徴とする、請求項９から１３のいずれか一項記載のマシンビジョンシステム。
【請求項１５】
前記エリア画像センサが、画像フレームを捕捉し、かつ外部トリガ信号なしに画像フレームの部分を送信することを特徴とする、請求項９から１４のいずれか一項記載のマシンビジョンシステム。
【請求項１６】
コンピュータ可読媒体に記憶され、計算装置で実行可能であるコンピュータプログラム製品であって、
該コンピュータプログラム製品が、監視対象の画像フレームをエリア画像センサによって捕捉するための指示を含み；
ここで、該コンピュータプログラム製品が、該画像フレームの一部を画像データ処理装置に送信し；
該一部を該画像データ処理装置で分析するための指示をさらに含み；
ここで、受信した該画像フレームの一部に、少なくとも１つの予め定義されたイベントを含むことが検出された場合、該画像データ処理装置は、該エリア画像センサをトリガするためにトリガ信号を送信するよう指示され、その結果、該エリア画像センサが、該少なくとも１つの予め定義されたイベントを含む少なくとも１つのさらなる画像フレームを捕捉し、かつ該少なくとも１つの予め定義されたイベントを含む該少なくとも１つのさらなる画像フレームの一部をさらなる分析のために該画像データ処理装置に送信するよう再構成され、ここで、少なくとも１つの予め定義されたイベントを含むことが検出された受信した画像フレームの一部における条件が、送信される該少なくとも１つの予め定義されたイベントを含む該少なくとも１つのさらなる画像フレームの一部の大きさ及び位置を決定し、かつ
該受信した画像フレームの一部に、予め定義されたイベントを含むことが検出されない場合、該エリア画像センサは、元に戻って、監視対象の画像フレームを捕捉し、かつ該捕捉した画像フレームの一部を該画像データ処理装置に送信し続けることを指示されることを特徴とする、前記コンピュータプログラム製品。
【請求項１７】
前記受信した一部が、前記画像フレームの複数の個別セクションを含むことを特徴とする、請求項１６記載のコンピュータプログラム製品。
【請求項１８】
前記少なくとも１つの予め定義されたイベントを含む前記少なくとも１つのさらなる画像フレームの一部が、前記画像フレームの複数の個別セクションを含むことを特徴とする、請求項１６または１７記載のコンピュータプログラム製品。
【請求項１９】
前記少なくとも１つの予め定義されたイベントを含む前記少なくとも１つのさらなる画像フレームの一部が、画像フレーム全体であることを特徴とする、請求項１６または１７記載のコンピュータプログラム製品。
【請求項２０】
前記コンピュータプログラム製品が、少なくとも１つの画像フレームを捕捉し、かつ前記少なくとも１つの予め定義されたイベントを含む前記少なくとも１つのさらなる画像フレームの一部をさらなる分析のために前記画像データ処理装置に送信した後、該少なくとも１つの画像フレームの一部を該画像データ処理装置に送信し続けるという指示をさらに含むことを特徴とする、請求項１６から１９のいずれか一項記載のコンピュータプログラム製品。
【請求項２１】
前記エリア画像センサが、画像フレームを捕捉し、外部トリガ信号なしに画像フレームの部分を送信することを特徴とする、請求項１６から２０のいずれか一項記載のコンピュータプログラム製品。